(57)【要約】【課題】座板（上板）に対するアタッチメントの位置合わせが容易で簡単に施工することのできる脚部埋込式ベンチ（脚部埋込式台状構造物）を提供する。【解決手段】脚部埋込式ベンチを、設置面Ｇに埋め込まれて固定される脚部１０と、脚部１０の上方に支持される座板２０と、座板２０を脚部１０に固定するためのアタッチメント３０とで構成されたものとし、そのアタッチメント３０を、座板２０の下面における離れた箇所に固定される複数の座板固定部３１と、脚部１０の側面に固定される脚部固定部３３と、複数の座板固定部３１を連結して座板固定部３１の間隔を一定に保つための連結部３２とで構成した。【選択図】図１
2010136832.tif 000002
【特許請求の範囲】
【請求項１】
設置面に埋め込まれて固定される脚部と、脚部の上方に支持される座板と、座板を脚部に固定するためのアタッチメントとで構成された脚部埋込式ベンチであって、
アタッチメントが、座板の下面における離れた箇所に固定される複数の座板固定部と、脚部の側面に固定される脚部固定部と、複数の座板固定部を連結して座板固定部の間隔を一定に保つための連結部とで構成されたことを特徴とする脚部埋込式ベンチ。
【請求項２】
複数の座板固定部のそれぞれに、棒状固定具Ａを通すための貫通孔ＨＡが鉛直方向に設けられ、脚部固定部に、棒状固定具Ｂを通すための貫通孔ＨＢが水平方向に設けられ、棒状固定具Ａを貫通孔ＨＡに鉛直方向に通すことによってそれぞれの座板固定部が座板に固定され、棒状固定具Ｂを貫通孔ＨＢに水平方向に通すことによって脚部固定部が脚部に固定される請求項１記載の脚部埋込式ベンチ。
【請求項３】
座板が並列に配された複数の棒状材又は帯状材によって構成され、複数の座板固定部のそれぞれに複数の貫通孔ＨＡが所定の配置ピッチで設けられ、それぞれの棒状材又は帯状材が、それぞれの座板固定部における異なる貫通孔ＨＡに挿入された棒状固定具Ａによって座板固定部に固定される請求項２記載の脚部埋込式ベンチ。
【請求項４】
座板が木製である請求項１記載の脚部埋込式ベンチ。
【請求項５】
座板の長さが１〜３ｍである請求項４記載の脚部埋込式ベンチ。
【請求項６】
脚部が、設置面に対して所定距離を隔てて埋め込まれる複数の埋込柱と、複数の埋込柱の上部を連結する連結梁とで構成され、アタッチメントにおける脚部固定部が、脚部における連結梁の側面に固定される請求項１記載の脚部埋込式ベンチ。
【請求項７】
設置面に埋め込まれて固定される脚部と、脚部の上方に支持される上板と、上板を脚部に固定するためのアタッチメントとで構成された脚部埋込式台状構造物であって、
アタッチメントが、上板の下面における異なる箇所に固定される複数の上板固定部と、脚部の側面に固定される脚部固定部と、複数の上板固定部を連結して上板固定部の間隔を一定に保つための連結部とで構成されたことを特徴とする脚部埋込式台状構造物。
【請求項８】
設置面に埋め込まれて固定される脚部の上方に支持される上板と、上板を脚部に固定するためのアタッチメントとで構成されたアタッチメント付き上板であって、
アタッチメントが、上板の下面に固定された複数の上板固定部と、脚部の側面に固定するための脚部固定部と、複数の上板固定部を連結して上板固定部の間隔を一定に保つための連結部とで構成されたことを特徴とするアタッチメント付き上板。
【請求項９】
設置面に埋め込まれて固定される脚部と、脚部の上方に支持される座板とで構成される脚部埋込式台状構造物における脚部と座板とを固定するのに用いられる脚部埋込式台状構造物施工用アタッチメントであって、
上板の下面に固定するための複数の上板固定部と、脚部の側面に固定するための脚部固定部と、複数の上板固定部を連結して上板固定部の間隔を一定に保つための連結部とで構成されたことを特徴とする脚部埋込式台状構造物施工用アタッチメント。
【請求項１０】
設置面に埋め込まれて固定される脚部と、脚部の上方に支持される上板と、上板を脚部に固定するためのアタッチメントとで構成される脚部埋込式台状構造物の施工方法であって、
アタッチメントとして、それを上板の下面に固定するための複数の上板固定部と、それを脚部の側面に固定するための脚部固定部と、複数の上板固定部を連結して上板固定部の間隔を一定に保つための連結部とで構成されたものを用い、上板とアタッチメントとを固定した後、脚部とアタッチメントとを固定することを特徴とする脚部埋込式台状構造物の施工方法。
【発明の詳細な説明】
【技術分野】
【０００１】
本発明は、その脚部が設置面に埋め込まれて固定される脚部埋込式ベンチなどの脚部埋込式台状構造物に関する。また、脚部埋込式台状構造物を施工する際に好適に使用することのできるアタッチメント付き上板やアタッチメント（脚部埋込式台状構造物施工用アタッチメント）に関する。さらに、脚部埋込式台状構造物の施工方法に関する。
【背景技術】
【０００２】
公園など、屋外に設置されるベンチには、持ち去られたり、場所が移動されたりしないように、その脚部が地中に埋め込まれて固定される脚部埋込式ベンチが採用されることが多い。脚部埋込式ベンチは、施工の都合上、地面など、その設置面に穴を掘って脚部を挿入し、脚部の高さ調節や水平出しを行い、前記穴を土やコンクリートなどで埋めて固めた後、脚部に対して座板を固定することにより施工するものが殆どとなっている（例えば特許文献１）。
【０００３】
脚部と座板の固定は、その間に金属製のアタッチメントを介在させ、脚部とアタッチメントとを、そしてアタッチメントと座板とを、ボルトやビスや螺子などの金具を用いて連結することにより行われる。しかし、これらの金具の頭部や軸部が座板の上面（座面）から露出すると、ベンチの見栄えが悪くなるだけでなく、その露出した部分に衣服が引っ掛かったり、その露出した部分が雨に晒されて錆びたりするおそれがある。このため、アタッチメントと座板の固定は、金具の頭部が下側となるように、その軸部をアタッチメントの下側から通してその軸部先端が座板の内部に納まるように行うのが一般的となっている（例えば特許文献１，２）。
【０００４】
しかし、脚部に固定されたアタッチメントに対して座板を固定する作業は、座板の下側から金具を留める必要があったため、非常に困難であった。というのも、座板は、通常、地面から３０〜５０ｃｍ程度の高さに固定されるのであるが、このような低い位置にある座板の下側から金具を留めようとすると、腰を無理に屈めたりしながら手探りで金具を留めなければならないからである。特に、座板が複数の部材からなるような場合にあっては、金具を留める箇所も多くなり、肉体的に非常にきつい作業となる。しかも、スペース的な問題から、インパクトドライバなどの工具を用いて金具を留めることができない場合もある。
【０００５】
このため、アタッチメントを座板に固定してから、アタッチメントを脚部に固定する施工が行われる場合もある。しかし、従来の脚部埋込式ベンチにおいて、アタッチメントは、座板の下面における両端部や中央部など、離れた複数箇所に取り付けられていたため、アタッチメントを座板に取り付ける際には、それぞれのアタッチメントの位置合わせを正確にしておかないと、アタッチメントを脚部に取り付けようとした際に、アタッチメントと脚部との取り付け箇所が互いに一致しなくなり、座板を脚部に固定できなくなる不具合が生じるおそれがあった。
【０００６】
【特許文献１】特開２００３−０００３８７号公報
【特許文献２】特開２００６−１９２０９５号公報
【発明の開示】
【発明が解決しようとする課題】
【０００７】
本発明は、上記課題を解決するためになされたものであり、座板に対するアタッチメントの位置合わせが容易で簡単に施工することのできる脚部埋込式ベンチ（脚部埋込式台状構造物）を提供するものである。また、これら脚部埋込式台状構造物を組み立てる際に好適に用いることのできるアタッチメント付き上板やアタッチメント（脚部埋込式台状構造物施工用アタッチメント）を提供することも本発明の目的である。さらに、これら脚部埋込式台状構造物を施工するのに適した脚部埋込式台状構造物の施工方法を提供することも本発明の目的である。
【課題を解決するための手段】
【０００８】
上記課題は、設置面に埋め込まれて固定される脚部と、脚部の上方に支持される座板と、座板を脚部に固定するためのアタッチメントとで構成された脚部埋込式ベンチであって、アタッチメントが、座板の下面における離れた箇所に固定される複数の座板固定部と、脚部の側面に固定される脚部固定部と、複数の座板固定部を連結して座板固定部の間隔を一定に保つための連結部とで構成されたことを特徴とする脚部埋込式ベンチを提供することによって解決される。
【０００９】
本発明の脚部埋込式ベンチは、その下面（施工後に下向きとなる面）が上向きとなるように座板をひっくり返す（手順１）、上下を逆さにしたアタッチメントを座板の下面に載せる（手順２）、座板に対してアタッチメントの位置合わせを行い、アタッチメントにおけるそれぞれの座板固定部を座板の下面における所望の位置に重ねる（手順３）、アタッチメントの上側（アタッチメントにおける上向きとなった下面側）から作業を行うことにより、アタッチメントを座板に固定し、アタッチメント付き座板を得る（手順４）、座板の下面が下向きとなるようにアタッチメント付き座板をひっくり返す（手順５）、設置面に埋め込まれて固定された脚部の上側にアタッチメント付き座板を載せる（手順６）、脚部に対してアタッチメント付き座板の位置合わせを行い、アタッチメントにおけるそれぞれの脚部固定部を脚部の側面における所望の位置に重ねる（手順７）、脚部の側方から作業を行うことにより、アタッチメントを脚部に固定する（手順８）という手順を経て施工することができるものとなっている。
【００１０】
すなわち、本発明の脚部埋込式ベンチを施工する際には、上記手順４における作業を、無理に腰を屈めたりすることなく、上側から手元を目視しながら楽な姿勢で行うことができる。そして、上記手順４では、インパクトドライバなどの工具も使用することができるので、作業の能率を大幅に向上することも可能である。また、本発明の脚部埋込式ベンチでは、複数の座板固定部が連結部によって連結されてそれらの相対的な位置関係が固定されているので、上記手順３における位置合わせも容易に行うことができる。さらに、本発明の脚部埋込式ベンチは、連結部によって複数の上板固定部の間隔が一定に保たれているので、上記手順７における作業では、アタッチメントにおける脚部固定部を脚部における所望の箇所に正確かつ確実に位置合わせすることも可能である。
【００１１】
さらにまた、本発明の脚部埋込式ベンチは、アタッチメントと座板（上板）を連結する際に用いられる金具（例えば、後述する棒状固定具Ａ）が座板の上面から露出しないものとなっている。したがって、ベンチに座った人の衣服が前記金具に引っ掛かるのを防止するだけでなく、前記金具が雨に晒されて錆びるのを防止することも可能である。
【００１２】
本発明の脚部埋込式ベンチにおいて、座板とアタッチメントとの固定手段や、アタッチメントと脚部との固定手段は、特に限定されないが、通常、ボルトやビスやネジや釘などの金属製の棒状固定具が採用される。具体的には、複数の座板固定部のそれぞれに、棒状固定具Ａを通すための貫通孔ＨＡを鉛直方向に設けるとともに、脚部固定部に、棒状固定具Ｂを通すための貫通孔ＨＢを水平方向に設け、棒状固定具Ａを貫通孔ＨＡに鉛直方向に通すことによってそれぞれの座板固定部を座板に固定し、棒状固定具Ｂを貫通孔ＨＢに水平方向に通すことによって脚部固定部を脚部に固定すると好ましい。
【００１３】
また、本発明の脚部埋込式ベンチにおいて、座板は、その形態を特に限定されず、連続した１枚の板などであってもよい。しかし、後述するように、木製の座板を使用する場合に座板を１枚の板で形成すると、湿度の変化などに起因して座板が大きく変形しやすくなるし、溜まった雨水などで座板が腐りやすくなるおそれがある。また、座板の入手コストが増大するおそれもある。このため、複数の部材によって座板を構成することが好ましい。具体的には、座板を、並列に配した複数の棒状材又は帯状材によって構成し、複数の座板固定部のそれぞれに複数の貫通孔ＨＡを所定の配置ピッチで設け、それぞれの棒状材又は帯状材を、それぞれの座板固定部における異なる貫通孔ＨＡに挿入した棒状固定具Ａによって座板固定部に固定すると好ましい。
【００１４】
さらに、本発明の脚部埋込式ベンチにおいて、座板は、樹脂製などであってもよいが、木製であると好ましい。これにより、座板に螺子穴や下穴を予め設けておかなくとも、木螺子などの棒状固定具Ａをそのまま打ち込むだけで座板にアタッチメントを固定することも可能になる。また、ベンチの座り心地を柔らかくして自然の温もりを感じとれるようにすることも可能になる。さらに、座板を廃棄する際の環境負荷を軽減することも可能になる。さらにまた、座板として廃材などを利用することにより、資源の有効利用を図るだけでなく、座板の入手コストを抑えることも可能になる。
【００１５】
加えて、座板を木製とすると、本発明の構成を採用する意義も高まる。というのも、木は湿度の変化などによって変形しやすいため、互いに分離した複数のアタッチメントを使用する従来の脚部埋込式ベンチにおいては、仮に工場などで、座板に対して複数のアタッチメント（本発明の脚部埋込式ベンチにおける座板固定部に相当）を正確な場所に取り付けたとしても、工場と施工現場との湿度差によって座板が変形したことに伴ってそれぞれのアタッチメントの間隔が変わってしまい、施工現場でアタッチメントを脚部に固定できなくなるおそれもあるが、本発明の脚部埋込式ベンチにおいては、複数の座板固定部が連結部によって連結されており、複数の座板固定部の間隔が固定されているため、工場と施工現場とで湿度に差があるような場合であっても、そのような不具合は生じないからである。
【００１６】
また、木は水に弱く腐りやすいため、座板が木製の脚部埋込式ベンチを屋外に設置した場合には、ある程度年数が経過すると、座板の交換をする必要も生じてくるが、本発明の脚部埋込式ベンチでは、脚部からアタッチメントを取り外す作業や、座板からアタッチメントを取り外す作業や、新しい座板にアタッチメントを取り付ける作業や、再びアタッチメントを脚部に固定する作業の全てが容易であり、座板の交換を簡単に行うことができるからである。
【００１７】
さらにまた、本発明の脚部埋込式ベンチにおいて、座板の長さ（複数の座板固定部に亘る方向の長さ）は特に限定されない。しかし、座板を短くしすぎると、湿度の変化などに起因する座板の長さの変化量が小さくなり、アタッチメントにおける複数の座板固定部を連結部で連結しておかなくても、座板固定部の間隔が変化しにくくなるために、本発明の構成を採用する意義が低くなる。このため、座板の左右方向の長さは、通常、１ｍ以上（相対湿度が７０％のときの値。以下同じ。）とされる。座板の左右方向の長さは、１．３ｍ以上であると好ましく、１．５ｍ以上であるとより好ましい。
【００１８】
一方、座板を長くしすぎると、湿度の変化などに起因する座板の長さの変化量が大きくなるために、座板の伸縮をアタッチメントで規制できなくなって、座板やアタッチメントが撓んだり、破損したりしやすくなるおそれがある。また、座板の運搬や施工を行いにくくなるだけでなく、座板の入手コストが増大するおそれもある。このため、座板の左右方向の長さは、通常、３ｍ以下とされる。座板の左右方向の長さは、２．５ｍ以下であると好ましく、２ｍ以下であるとより好ましい。
【００１９】
また、本発明の脚部埋込式ベンチにおいて、脚部は、地面などの設置面に埋め込んで固定できるものであればその形態は特に限定されないが、設置面に対して所定距離を隔てて埋め込まれる複数の埋込柱と、複数の埋込柱の上部を連結する連結梁とで構成されたものであると好ましい。
【００２０】
この場合、アタッチメントにおける脚部固定部は、埋込柱の側面に固定してもよいが、連結梁の側面に固定すると好ましい。これにより、座板の略全長に亘って座板と脚部とを固定することが可能になる。したがって、座板の変形に対するアタッチメントの規制力を増大させて、座板が湿度の変化などによって伸縮した場合であっても、アタッチメントに撓みなどが生じないようにすることも可能になる。また、座板をより安定した状態で脚部に固定することもできるようになる。
【００２１】
ところで、本発明の構成は、脚部埋込式ベンチだけでなく、設置面に埋め込まれて固定される脚部と、脚部の上方に支持される上板（座板の上位概念）と、上板を脚部に固定するためのアタッチメントとで構成された他の脚部埋込式台状構造物（脚部埋込式ベンチの上位概念）に対しても広く採用することができる。すなわち、アタッチメントが、上板の下面における異なる箇所に固定される複数の上板固定部と、脚部の側面に固定される脚部固定部と、複数の上板固定部を連結して上板固定部の間隔を一定に保つための連結部とで構成されたことを特徴とする脚部埋込式台状構造物である。
【００２２】
台状構造物は、脚部と上板とを備えた構造のものであれば特に限定されない。台状構造物は、車庫や倉庫の屋根構造体や、パーゴラなどの栽培棚であってもよいが、設置面から上板までの高さがある場合には、上板の下側に人が立って作業を行えるため、本発明の構成を採用する意義が低くなる。このため、台状構造物は、設置面から上板までの高さがある程度低いものであると好ましい。具体的には、設置面から上板の下面までの高さが１．３ｍ以下、好ましくは１ｍ以下、より好ましくは０．８ｍ以下の台状構造物であると好ましい。このような台状構造物としては、テーブルやデッキや踏み台などが例示される。脚部埋込式ベンチにおける「座板」を「上板」で読み替えた構成は、本発明の趣旨に反しない限り、他の脚部埋込式台状構造物においても採用することができる。
【００２３】
本発明の脚部埋込式台状構造物を現場で施工する際には、設置面に埋め込まれて固定される脚部の上方に支持される上板と、上板を脚部に固定するためのアタッチメントとで構成されたアタッチメント付き上板であって、アタッチメントが、上板の下面に固定された複数の上板固定部と、脚部の側面に固定するための脚部固定部と、複数の上板固定部を連結して上板固定部の間隔を一定に保つための連結部とで構成されたことを特徴とするアタッチメント付き上板を使用すると好ましい。
【００２４】
このように、本発明の脚部埋込式台状構造物を構成する各部品のうち、上板とアタッチメントとを工場などで予め固定しておくことにより、施工現場での作業性を向上させることが可能になる。このアタッチメント付き上板も、アタッチメントにおける複数の上板固定部が連結部によって連結されているために、工場と施工現場とで湿度が異なり、座板（特に木製の座板）が変形しやすい条件下であっても、上板固定部の間隔が一定に保たれるようになっており、その下部を設置面に埋め込まれて固定された複数の脚部に対して上板を容易に位置決めすることができる。
【００２５】
また、上記課題は、設置面に埋め込まれて固定される脚部と、脚部の上方に支持される上板と、上板を脚部に固定するためのアタッチメントとで構成される脚部埋込式台状構造物の施工方法であって、アタッチメントとして、それを上板の下面に固定するための複数の上板固定部と、それを脚部の側面に固定するための脚部固定部と、複数の上板固定部を連結して上板固定部の間隔を一定に保つための連結部とで構成されたものを用い、上板とアタッチメントとを固定した後、脚部とアタッチメントとを固定することを特徴とする脚部埋込式台状構造物の施工方法を提供することによっても解決される。
【発明の効果】
【００２６】
以上のように、本発明によって、座板に対するアタッチメントの位置合わせが容易で簡単に施工することのできる脚部埋込式ベンチ（脚部埋込式台状構造物）を提供することが可能になる。また、これら脚部埋込式台状構造物を組み立てる際に好適に用いることのできるアタッチメント付き上板やアタッチメントを提供することも可能になる。さらに、これら脚部埋込式台状構造物を施工するのに適した脚部埋込式台状構造物の施工方法を提供することも可能になる。
【発明を実施するための最良の形態】
【００２７】
本発明の脚部埋込式ベンチの好適な実施態様について、図面を用いてより具体的に説明する。図１は、本発明の脚部埋込式ベンチを脚部１０と座板２０とアタッチメント３０とに分解した状態を示した斜視図である。図２は、図１の脚部埋込式ベンチにおける脚部１０を設置面Ｇに埋め込むとともに、アタッチメント３０を座板２０に固定してアタッチメント付き座板とした状態を示した斜視図である。図３は、図２の脚部埋込式ベンチにおけるアタッチメント付き座板を脚部１０に固定して、本発明の脚部埋込式ベンチの施工を終えた状態を示した斜視図である。図４は、本発明の脚部埋込式ベンチを図３におけるＸ１−Ｘ１面で切断した状態を示した断面図である。図５は、本発明の脚部埋込式ベンチを図３におけるＸ２−Ｘ２面で切断した状態を示した断面図である。
【００２８】
１．ベンチの概要
本発明の脚部埋込式ベンチは、図１〜５に示すように、設置面Ｇに対して左右方向に所定距離を隔てて埋め込まれて固定された複数の埋込柱１１を有する脚部１０と、脚部１０の上端側で左右方向に支持された座板２０と、座板２０を脚部１０に固定するためのアタッチメント３０とを備えたものとなっている。
【００２９】
２．座板
座板２０は、図１に示すように、前後方向に所定距離を隔てて並列に配した複数の棒状材２１によって構成されている。本実施態様の脚部埋込式ベンチにおいて、棒状材２１の左右方向の長さは、１．８ｍ（相対湿度が７０％のときの値）となっている。それぞれの棒状材２１は、アタッチメント３０における座板固定部３１の対応する箇所に設けられた貫通孔ＨＡに棒状固定具Ａ（図４を参照）を挿入することによってアタッチメント３０に固定されるようになっている。
【００３０】
座板２０を構成する棒状材２１の本数（前後方向に並列に配する本数）は、特に限定されない。しかし、棒状材２１の本数を少なくしすぎると、座板２０とアタッチメント３０とを固定する箇所が少なくて済むようになり、本発明の構成を採用する意義が低下する。一方、棒状材２１の本数を多くしすぎると、座板２０の座り心地が悪化するおそれがある。このため、棒状材２１の本数は、通常、３〜２０本とされる。棒状材２１〜２８の本数は、４〜１５本であると好ましく、５〜１０本であるとより好ましい。本実施態様の脚部埋込式ベンチにおいては、８本の棒状材２１を前後方向に並列に配することにより、座板２０を形成している。
【００３１】
それぞれの棒状材２１の厚さ（上下方向の厚さ）や幅（前後方向の幅）は、棒状材２１（座板２０）の材質によっても異なり、特に限定されない。しかし、棒状材２１を木製とした場合に棒状材２１の厚さや幅を小さくしすぎると、棒状材２１の強度が保てなくなるおそれがある。一方、棒状材２１の厚さや幅を大きくしすぎると、湿度の変化によって棒状材２１が大きく膨張又は収縮しやすくなり、棒状固定具Ａ（図４を参照）で留められた棒状材２１の右端部や左端部に無理な力が加えられて、棒状材２１に反りや割れが生じやすくなるおそれがある。また、座板２０の重量が増大して、アタッチメント付き座板を脚部１０に載せる作業が困難になるおそれがある。このため、棒状材２１の厚さと幅は、通常、それぞれ１〜１５ｃｍ（相対湿度が７０％のときの値。以下同じ。）とされる。棒状材２１の厚さと幅は、それぞれ２〜１０ｃｍであると好ましく、３〜８ｃｍであるとより好ましい。
【００３２】
さらに、前後方向で隣り合う棒状材２１の間隔（隙間の幅）も特に限定されない。しかし、この間隔を狭くしすぎると棒状材２１の隙間から雨水などが垂れ落ちにくくなるおそれがある。また、棒状材２１が木製である場合には、湿度が高くなった際に棒状材２１が膨張して隙間が塞がるおそれもある。一方、この間隔を広くしすぎると、座板２０の座り心地が悪化するおそれがある。このため、前後方向で隣り合う棒状材２１の間隔は、通常、２〜２０ｍｍ（棒状材２１が木製である場合には、相対湿度が７０％のときの値。以下同じ。）とされる。この間隔は、５〜１５ｍｍである好ましい。本実施態様の脚部埋込式ベンチにおいて、前後方向で隣り合う棒状材２１の間隔は、約１０ｍｍに設定している。
【００３３】
棒状材２１（座板２０）は、樹脂製などであってもよいが、本実施態様の脚部埋込式ベンチにおいては木製としている。棒状材２１に使用する木材の種類は、耐湿性、耐朽性、加工性、価格などを考慮して適宜決定され、各種の無垢材や集成材や合板を採用することができる。例えば無塗装かつ無防腐処理での耐湿性や耐朽性を考慮するならば、イペ、サイプレス、ウリン、ジャラ、チーク、セランガンバツー、レッドウッド、レッドシダーなどを使用すると好ましい。これにより、天然木の質感を座板２０に表現することができる。なかでもイペやサイプレスなどは耐湿性や耐朽性だけでなく、加工性にも優れ、比較的安価であるために好ましい。また、耐湿性や耐朽性は上記の木材よりも劣るものの、マツ、スギ、ナラ、ＳＰＦ、ホワイトウッドなど、上記以外の一般的な木材を選択することも好ましい。これらの木材でも、塗装や防腐処理を施すことによって、耐湿性や耐朽性をある程度高めることができるし、何よりも廃材として安価で入手しやすいという利点がある。
【００３４】
３．アタッチメント
アタッチメント３０は、図１に示すように、座板２０の下面に固定するための複数の座板固定部３１と、左右方向（棒状材２１の長手方向と平行な方向）に所定距離を隔てて配された複数の座板固定部３１を左右方向に連結して座板固定部３１の間隔を一定に保つための複数の連結部３２と、脚部１０の側面に固定するための複数の脚部固定部３３とで構成されている。アタッチメント３０は、脚部１０に対して座板２０を固定するという機能だけでなく、湿度の変化などに起因する座板２０の変形を規制するという機能をも有している。
【００３５】
座板固定部３１は、アタッチメント３０における右端部と中央部と左端部との計３箇所から前後方向に突き出して設けられた板状のものとなっている。これらの座板固定部３１は、ベンチの施工後に水平となる向きで配されている。それぞれの座板固定部３１には、前後方向に沿って複数（棒状材２１の本数に対応する数。本実施態様の脚部埋込式ベンチにおいては８個。）の貫通孔ＨＡが所定の配置ピッチ（棒状材２１の前後方向の配置ピッチに対応する値。本実施態様の脚部埋込式ベンチにおいては６ｃｍ。）で設けられている。それぞれの貫通孔ＨＡは、座板固定部３１の上面側から下面側へ貫通して設けられている。
【００３６】
座板固定部３１の配置ピッチ（左右方向の配置ピッチ）は、特に限定されない。しかし、この配置ピッチを狭くしすぎると、ベンチの製造単価が増大するだけで、座板２０とアタッチメント３０との固定の強さに関しては特に利益が得られなくなるおそれがあるし、従来の脚部埋込式ベンチのように座板固定部３１が分離されていたとしても、湿度の変化などに起因する座板固定部３１の間隔の変化量が小さくなり、本発明の構成を採用する意義も低下する。一方、この配置ピッチを広くしすぎると、アタッチメント３０を座板２０にしっかりと固定できなくなるだけでなく、湿度の変化などに起因する座板２０の変形をアタッチメント３０の連結部３２で規制できなくなり、座板２０に反りや割れが生じやすくなるおそれもある。このため、座板固定部３１の配置ピッチは、通常、３０〜２００ｃｍとされる。この配置ピッチは、４０〜１５０ｃｍであると好ましく、５０〜１００ｃｍであるとより好ましい。本実施態様の脚部埋込式ベンチにおいて、座板固定部３１の配置ピッチは７０ｃｍ弱となっている。
【００３７】
連結部３２は、右側の座板固定部３１と真ん中の座板固定部３１との間と、真ん中の座板固定部３１と左側の座板固定部３１との間の計２箇所に設けられた板状のものとなっている。連結部３２は、通常、棒状材２１（座板２０）の長手方向と平行に配される。これら板状の連結部３２は、ベンチの施工後に水平となる向きで配されている。連結部３２は、金属など、湿度が変化しても変形しにくい素材によって形成されている。この連結部３２によって、座板固定部３１の間隔が一定に保たれるようになっている。
【００３８】
脚部固定部３３は、右側の連結部３２の前縁と、左側の連結部３２の前縁の計２箇所から下向きに突き出して設けられた板状のものとなっている。これら板状の脚部固定部３３は、ベンチの施工後に鉛直となる向きで配されている。それぞれの脚部固定部３３には、左右方向に沿って複数の貫通孔ＨＢが所定の配置ピッチで設けられている。それぞれの貫通孔ＨＢは、脚部固定部３３の前面側から背面側へ貫通して設けられている。
【００３９】
それぞれの脚部固定部３３に設ける貫通孔ＨＢの数や配置ピッチ（左右方向の配置ピッチ）は、特に限定されないが、貫通孔ＨＢの数を狭くしすぎたり、貫通孔ＨＢの配置ピッチを広くしすぎたりすると、脚部固定部３３を脚部１０に対してしっかりと固定できなくなるおそれがある。一方、貫通孔ＨＢの数を多くしすぎたり、貫通孔ＨＢの配置ピッチを狭くしすぎたりすると、固定する箇所が多くなりすぎて、脚部固定部３３を脚部１０に固定する作業に手間がかかるようになる。
【００４０】
このため、それぞれの脚部固定部３３に設ける貫通孔ＨＢの数は、通常、３〜１０個とされる。それぞれの脚部固定部３３に設ける貫通孔ＨＢの数は、４〜７個であると好ましい。本実施態様の脚部埋込式ベンチにおいては、それぞれの脚部固定部３３に貫通孔ＨＢを４個ずつ設けている。また、それぞれの脚部固定部３３に設ける貫通孔ＨＢの配置ピッチは、通常、３〜３０ｃｍとされる。それぞれの脚部固定部３３に設ける貫通孔ＨＢの配置ピッチは、５〜２０ｃｍであると好ましく、７〜１５ｃｍであるとより好ましい。本実施態様の脚部埋込式ベンチにおいては、それぞれの脚部固定部３３に貫通孔ＨＢを約１３ｃｍの配置ピッチで設けている。
【００４１】
アタッチメント３０の素材は、十分な強度を有し、湿度が変化しても変形しにくいものであれば特に限定されない。このような素材としては、鉄、ステンレススチール、アルミニウム、銅などの金属や、これらの合金が例示される。アタッチメント３０を金属で形成する場合には、その表面に防錆処理を施すと好ましい。アタッチメント３０は、各部ごとに異なる素材で形成してもよいが、各部の接合強度や、ベンチの製造コストを抑えることなどを考慮すると、同一の素材で一体的に形成すると好ましい。
【００４２】
４．脚部
脚部１０は、図１に示すように、設置面Ｇに対して左右方向に所定距離を隔てて埋め込まれて固定された複数の埋込柱１１を有する脚部１０と、複数の埋込柱１１の上側でアタッチメント３０の座板固定部３１を受ける複数の座板受け部１２と、複数の座板受け部１２（複数の埋込柱１１の上端側）を左右方向に連結する連結梁１３と、アタッチメント３０の脚部固定部３２が固定されるアタッチメント固定部１４とで構成されている。
【００４３】
埋込柱１１は、その形態を特に限定されないが、本実施態様の脚部埋込式ベンチにおいては、脚部１０における右端部と中央部と左端部との計３箇所から下向きに延びる円柱状のものとなっている。それぞれの埋込柱１１の最下端には、鍔状部１１ａが設けられており、埋込柱１１を埋込穴Ｈに挿入した際に、脚部１０を安定させることができるようになっている。また、埋込柱１１を設置面Ｇに埋め込んだ際に設置面Ｇを跨ぐ埋込柱１１の中途部分に拡径部１１ｂを形成しており、ベンチの施工後の安定性の向上を図っている。
【００４４】
座板受け部１２は、右側の埋込柱１１の上側と、真ん中の埋込柱１１の上側と、左側の埋込柱１１の上側の計３箇所に設けられており、それぞれの埋込柱１１から前後方向に突き出して設けられたブロック状のものとなっている。このため、アタッチメント３０における座板固定部３１の下面の実質的に全体が、座板受け部１２の上面で支持されるようになっており、座板２０が前後方向にぐらつくことのないようになっている。
【００４５】
連結梁１３は、右側の座板受け部１２と真ん中の座板受け部１２との間と、真ん中の座板受け部１２と左側の座板受け部１２との間の計２箇所に設けられた板状のものとなっている。これら板状の連結梁１３は、ベンチの施工後に水平となる向きで配されている。この連結梁１３により、埋込柱１１の間隔が一定に保たれるようになっており、施工現場でそれぞれの埋込柱１１を互いに位置決めする手間を省くことができるようになっている。また、脚部１０で座板２０やアタッチメント３０をしっかりと支持することもできるようになっている。
【００４６】
アタッチメント固定部１４は、例えば、座板受け部１２の側面などに設けてもよいが、本実施態様の脚部埋込式ベンチにおいては、図１と図５に示すように、右側の連結梁１３の前縁と、左側の連結梁１３の前縁の計２箇所から下向きに突き出したブロック状の部分に設けている。それぞれのアタッチメント固定部１４の前面には、左右方向に沿って複数（アタッチメント３０の脚部固定部３３に設けられた貫通孔ＨＢと同じ数。本実施態様の脚部埋込式ベンチにおいては４個。）の貫通孔ＨＢ’が所定の配置ピッチ（アタッチメント３０の脚部固定部３３に設けられた貫通孔ＨＢと同じ値。本実施態様の脚部埋込式ベンチにおいては約１３ｃｍ。）で設けられている。それぞれの貫通孔ＨＢ’は、アタッチメント固定部１４の前面側から背面側へ貫通して設けられている。
【００４７】
脚部１０の素材は、十分な強度を有するものであれば特に限定されない。このような素材としては、鉄、ステンレススチール、アルミニウム、銅などの金属やこれらの合金のほか、コンクリートなどが例示される。脚部１０を金属で形成する場合には、その表面に防錆処理を施すと好ましい。脚部１０は、各部ごとに異なる素材で形成してもよい。本実施態様の脚部埋込式ベンチにおいては、ベンチの施工容易性の向上と設置安定性の向上の両立を図るため、拡径部１１ｂのみを重量のあるコンクリートで形成し、他の部分を金属で形成している。
【００４８】
５．施工方法
続いて、図１〜図５に示した脚部埋込式ベンチの施工方法について説明する。図６は、本発明の脚部埋込式ベンチにおける座板２０にアタッチメント３０を固定する状態を示した斜視図である。図７は、図２の座板２０にアタッチメント３０を固定してアタッチメント付き座板とした状態を示した斜視図である。
【００４９】
本発明の脚部埋込式ベンチは、図１に示すように、脚部１０と座板２０とアタッチメント３０とで構成されており、アタッチメント３０を脚部１０に固定するよりも前に、座板２０とアタッチメント３０とを固定するものとなっている。座板２０とアタッチメント３０との固定は、施工現場で行ってもよいが、施工現場での労力を削減することを考慮すると、工場などで予め行っておくと好ましい。座板２０とアタッチメント３０との固定は、以下の手順によって行うと好ましい。
【００５０】
まず、図６，７に示すように、その下面（施工後に下向きとなる面）が上向きとなるように座板２０をひっくり返し、アタッチメント３０をその上下を逆さにして座板２０の下面（図６，７では上向きとなっている。）に載せる。そして、座板２０に対してアタッチメント３０の位置合わせを行い、その座板固定部３１を座板２０の下面における所望の位置に重ねる。
【００５１】
続いて、座板固定部３１に設けられたそれぞれの貫通孔ＨＡに、アタッチメント３０の上側（アタッチメントにおける上向きとなった下面側）から棒状固定具Ａを打ち込むことにより、座板２０とアタッチメント３０とを固定し、アタッチメント付き座板を得る。貫通孔ＨＡに棒状固定具Ａを打ち込む作業は、立った姿勢のままで、あるいは座った姿勢のままで、棒状固定具Ａや貫通孔ＨＡを目視しながら行うことができるので楽に行うことができる。
【００５２】
その後、上記手順で得られたアタッチメント付き座板を、施工現場に運搬し、図２に示すように、脚部１０に対して固定する。脚部１０は、このときまでに、その埋込柱１１を設置面Ｇに埋め込んでおく。埋込柱１１の埋込作業は、以下の手順によって行うと好ましい。
【００５３】
まず、図１に示すように、設置面Ｇに、複数（埋込柱１１の本数に同じ。本実施態様の脚部埋込式ベンチにおいては３個。）の埋込穴Ｈを左右方向に所定の配置ピッチ（埋込柱１１の左右方向の配置ピッチに同じ。本実施態様の脚部埋込式ベンチにおいては７０ｃｍ弱。）で掘る。埋込穴Ｈの深さは特に限定されないが、通常、１０〜３０ｃｍ程度（本実施態様の脚部埋込式ベンチにおいては２０ｃｍ強。）である。埋込穴Ｈの深さは、ベンチの安定性や、ベンチの高さ（設置面Ｇから座板２０の上面までの高さ）などを考慮して適宜決定される。ベンチの高さは、その施工場所などによっても異なるが、本実施態様の脚部埋込式ベンチにおいては、４５ｃｍとしている。
【００５４】
続いて、それぞれの埋込穴Ｈに埋込柱１１の下端を挿入し、脚部１０の上面が所望の高さで水平となるように調整する。脚部１０の上面の高さ調節や水平出しは、図４に示すように、埋込穴Ｈの底部に砂利などのレベル調整材４０を入れる量を調節することによって行うとよい。脚部１０の上面が所望の高さで水平になったのを確認すると、埋込穴Ｈと埋込柱１１の隙間に、土やコンクリートなどの固定材４１を充填して埋込柱１１を設置面Ｇに対して固定し、埋込柱１１の埋込作業を完了する。
【００５５】
再び話をアタッチメント付き座板と脚部１０との固定作業に戻す。アタッチメント付き座板と脚部１０との固定作業は、図２に示すように、座板２０の下面が下向きとなるように、図６，７の状態からアタッチメント付き座板をひっくり返して行う。続いて、設置面Ｇに埋込柱１１を埋め込まれて固定された脚部１０の上面にアタッチメント付き座板を載せ、脚部固定部３３をアタッチメント固定部１４の前面側に重ねる。そして、脚部１０に対してアタッチメント付き座板の位置合わせを行い、アタッチメント３０の脚部固定部３３に設けられた複数の貫通孔ＨＢの位置を、脚部１０のアタッチメント固定部１４に設けられた複数の貫通孔ＨＢ’の位置に合わせる。
【００５６】
最後に、図５に示すように、互いに重なって連通した貫通孔ＨＢと貫通孔ＨＢ’とに、脚部固定部３３の前面側からアタッチメント固定部１４の背面側へ共通の棒状固定具Ｂを挿入することにより、アタッチメント付き座板を脚部１０に固定する。これと同様の作業を、全ての貫通孔ＨＢと貫通孔ＨＢ’とに対して行い、ベンチの施工作業を完了する。以上の手順により得られた本発明の脚部埋込式ベンチは、図４に示すように、座板２０とアタッチメント３０とを連結する際に用いた棒状固定具Ａが座板２０の上面から露出していない。
【００５７】
ところで、座板２０とアタッチメント３０とを固定する棒状固定具Ａの種類や、脚部１０とアタッチメント３０とを固定する棒状固定具Ｂの種類は、特に限定されない。棒状固定具Ａや棒状固定具Ｂとしては、ボルトやビスや螺子や釘などが例示される。具体的に何を棒状固定具Ａや棒状固定具Ｂとして用いるかは、座板２０や脚部固定部３３の素材や形態を考慮して適宜決定される。本実施態様の脚部埋込式ベンチにおいては、図４に示すように、棒状固定具Ａとして木螺子を採用し、図５に示すように、棒状固定部Ｂとしてナット付きのボルトを採用している。      
【００５８】
６．用途
本発明の脚部埋込式ベンチは、設置面に脚部を埋め込むことができるのであればその施工場所を特に限定されないが、屋外に設置する場合に好適である。特に、大きな公園や野球場などは、数百から数万の単位でベンチを設置する場合もあるため、本発明の脚部埋込式ベンチを採用することによって得られる利益も大きくなる。すなわち、脚部埋込式ベンチの施工やメンテナンス（座板の交換など）に要する手間を大幅に削減することができるので、人件費や工事費を大幅に削減することができる。また、本発明の脚部埋込式ベンチの構造は、これらの設備に設置する脚部埋込式台状構造物（テーブルやデッキや踏み台など）にも応用することができる。
【図面の簡単な説明】
【００５９】
【図１】本発明の脚部埋込式ベンチを脚部と座板とアタッチメントとに分解した状態を示した斜視図である。
【図２】図１の脚部埋込式ベンチにおける脚部を設置面に埋め込むとともに、アタッチメントを座板に固定してアタッチメント付き座板とした状態を示した斜視図である。
【図３】図２の脚部埋込式ベンチにおけるアタッチメント付き座板を脚部に固定して、本発明の脚部埋込式ベンチの施工を終えた状態を示した斜視図である。
【図４】本発明の脚部埋込式ベンチを図３におけるＸ１−Ｘ１面で切断した状態を示した断面図である。
【図５】本発明の脚部埋込式ベンチを図３におけるＸ２−Ｘ２面で切断した状態を示した断面図である。
【図６】本発明の脚部埋込式ベンチにおける座板にアタッチメントを固定する状態を示した斜視図である。
【図７】図２の座板にアタッチメントを固定してアタッチメント付き座板とした状態を示した斜視図である。
【符号の説明】
【００６０】
１０      脚部
１１      埋込柱
１１ａ    鍔状部
１１ｂ    拡径部
１２      座板受け部
１３      連結梁
１４      アタッチメント固定部
２０      座板（上板）
２１      棒状材
３０      アタッチメント
３１      座板固定部
３２      連結部
３３      脚部固定部
４０      レベル調整材
４１      固定材
Ａ      棒状固定具
Ｂ      棒状固定具
Ｇ      設置面
Ｈ      埋込穴
ＨＡ    貫通孔
ＨＢ    貫通孔
ＨＢ’  貫通孔
【図１】
2010136832.tif 000003
【図２】
2010136832.tif 000004
【図３】
2010136832.tif 000005
【図４】
2010136832.tif 000006
【図５】
2010136832.tif 000007
【図６】
2010136832.tif 000008
【図７】
2010136832.tif 000009